(57)【特許請求の範囲】
【請求項１】
セキュリティ文書のセキュリティ要素（４）を確認するための方法であって、前記セキュリティ要素（４）が、光学的に可変な特性を有する少なくとも１つの物質（５）を含み得り、以下の：
・前記セキュリティ要素（４）を、少なくとも１つの既定の照射パラメータを用いて前記セキュリティ要素（４）に対して１つの入射角度（Φ０）を成す光によって照射し、
・前記セキュリティ要素によって反射された光を、第１偏光を有する第１成分（ＲＬｐ）に分岐し、
・或る反射角度（ΦＲ）を成して反射される反射光の第１成分（ＲＬｐ）の強度（Ｉ）を、少なくとも１つの反射角度（ΦＲ）に対して測定し、
絶対値に関して前記入射角度（Φ０）に一致するが、法線方向（７）に対して前記入射角度（Φ０）とは反対に指向されている１つの指向反射角度（Φ１）を成して反射される反射光の第１成分（ＲＬｐ）の強度（Ｉ）を測定し、
少なくとも１つの別の反射角度（ΦＲ）を成して反射される反射光の第１成分（ＲＬｐ）の強度（Ｉ）を測定し、
前記少なくとも１つの別の反射角度（ΦＲ）は、前記指向反射角度（Φ１）とは異なり、
・光学的に可変な特性を有する物質（５）の存在を、前記第１成分（ＲＬｐ）の強度（Ｉ）に応じて確認し、前記少なくとも１つの別の反射角度（ΦＲ）を成す反射時の第１成分（ＲＬｐ）の強度（Ｉ）が、前記指向反射角度（Φ１）を成す反射時の第１成分（ＲＬｐ）の強度（Ｉ）よりも大きい場合に、光学的に可変な特性を有する前記物質（５）の存在が確認される方法ステップを有する当該方法。
【請求項２】
セキュリティ文書のセキュリティ要素（４）を確認するための方法であって、前記セキュリティ要素（４）が、光学的に可変な特性を有する少なくとも１つの物質（５）を含み得り、以下の：
・前記セキュリティ要素（４）を、少なくとも１つの既定の照射パラメータを用いて前記セキュリティ要素（４）に対して１つの入射角度（Φ０）を成す光によって照射し、
・前記セキュリティ要素によって反射された光を、第１偏光を有する第１成分（ＲＬｐ）に分岐し、
・或る反射角度（ΦＲ）を成して反射される反射光の第１成分（ＲＬｐ）の強度（Ｉ）を、少なくとも１つの反射角度（ΦＲ）に対して測定し、
絶対値に関して前記入射角度（Φ０）に一致するが、法線方向（７）に対して前記入射角度（Φ０）とは反対に指向されている１つの指向反射角度（Φ１）を成して反射される反射光の第１成分（ＲＬｐ）の強度（Ｉ）を測定し、
少なくとも１つの別の反射角度（ΦＲ）を成して反射される反射光の第１成分（ＲＬｐ）の強度（Ｉ）を測定し、
前記少なくとも１つの別の反射角度（ΦＲ）は、前記指向反射角度（Φ１）とは異なり、
・光学的に可変な特性を有する物質（５）の存在を、前記第１成分（ＲＬｐ）の強度（Ｉ）に応じて確認し、前記少なくとも１つの別の反射角度（ΦＲ）を成す反射時の第１成分（ＲＬｐ）の強度（Ｉ）が、前記指向反射角度（Φ１）を成す反射時の第１成分（ＲＬｐ）の強度（Ｉ）よりも大きい場合に、光学的に可変な特性を有する前記物質（５）の存在が確認される方法ステップを有する当該方法において、
前記セキュリティ要素（４）によって反射された光が、前記第１成分（ＲＬｐ）と、前記第１偏光に対して直交する偏光を有する別の成分（ＲＬｓ）とに分割され、さらに前記別の成分（ＲＬｓ）の強度（Ｉ）に応じて、光学的に可変な特性を有する物質（５）の存在が確認され、及び／又は、光学的に可変な特性を有する物質（５）の或る特定の種類が識別されることを特徴とする当該方法。
【請求項３】
前記少なくとも１つの反射角度（ΦＲ）は、特性散乱角度（Φ２，Φ３）として選択され、前記特性散乱角度（Φ２，Φ３）が、少なくとも１つの照射パラメータと光学的に可変な特性を有する確認すべき物質（５）の種類とによって決まることを特徴とする請求項１又は２に記載の方法。
【請求項４】
前記特性散乱角度（Φ２，Φ３）を成す反射時の第１成分（ＲＬｐ）の強度（Ｉ）が、最大の強度（Ｉ）に一致する場合に、及び／又は既定の強度（Ｉ）に一致する場合に、光学的に可変な特性を有する或る特定の種類の物質（５）が識別されることを特徴とする請求項３に記載の方法。
【請求項５】
前記第１成分（ＲＬｐ）の偏光方向と反射面との間の角度が、特性偏光角度として選択され、当該特性偏光角度は、前記少なくとも１つの照射パラメータと、光学的に可変な特性を有する確認すべき物質（５）の種類とによって決まることを特徴とする請求項１〜４のいずれか１項に記載の方法。
【請求項６】
前記セキュリティ要素（４）は、直線偏光によって照射されることを特徴とする請求項１〜５のいずれか１項に記載の方法。
【請求項７】
セキュリティ文書のセキュリティ要素（４）を確認するための装置であって、前記セキュリティ要素（４）が、光学的に可変な特性を有する少なくとも１つの物質（５）を有し得り、前記装置（１）が、前記セキュリティ要素（４）を照射するための少なくとも１つの光源（２）を有する当該装置において、
前記光源（２）は、セキュリティ要素（４）に対して１つの入射角度（Φ０）を成す光を放射し、
前記装置（１）は、前記セキュリティ要素（４）によって反射された光の偏光を分岐するための少なくとも１つの手段を有し、
第１偏光を有する当該反射光の第１成分（ＲＬｐ）が、前記偏光を分岐するための手段によって分岐可能であり、
前記装置（１）は、前記第１成分（ＲＬｐ）の強度（Ｉ）を検出するための少なくとも１つの第１手段を有し、
前記装置（１）は、少なくとも１つの評価装置を有し、
或る反射角度（ΦＲ）を成して反射される反射光の第１成分（ＲＬｐ）の強度（Ｉ）が、前記の強度（Ｉ）を検出するための第１手段によって、少なくとも１つの反射角度（ΦＲ）に対して測定可能であり、
絶対値に関して前記入射角度（Φ０）に一致するが、法線方向（７）に対して前記入射角度（Φ０）とは反対に指向されている１つの指向反射角度（Φ１）を成して反射される反射光の第１成分（ＲＬｐ）の強度が、前記の強度を検出するための第１手段によって測定可能であり、
少なくとも１つの別の反射角度（ΦＲ）を成して反射される反射光の第１成分（ＲＬｐ）の強度（Ｉ）が、強度（Ｉ）を検出するための前記第１手段又は別の手段によって測定可能であり、
前記別の反射角度（ΦＲ）は、前記指向反射角度（Φ１）とは異なり、
光学的に可変な特性を有する物質（５）の存在が、前記評価装置によって、前記第１成分（ＲＬｐ）の強度（Ｉ）に応じて確認可能であり、
前記少なくとも１つの別の反射角度（ΦＲ）を成す反射時の第１成分（ＲＬｐ）の強度（Ｉ）が、前記指向反射角度（Φ１）を成す反射時の第１成分（ＲＬｐ）の強度（Ｉ）よりも大きい場合に、光学的に可変な特性を有する物質（５）の存在が、前記評価装置によって確認可能であることを特徴とする装置。
【請求項８】
前記の強度（Ｉ）を検出するための第１手段の入射角度が調整可能であり、及び／又は、前記装置（１）は、前記第１成分（ＲＬｐ）の強度（Ｉ）を検出するための少なくとも１つの別の手段を有し、
前記の強度（Ｉ）を検出するための少なくとも１つの別の手段の入射角度が調整可能であることを特徴とする請求項７に記載の装置。
【請求項９】
前記第１偏光に対して直交する偏光を有する別の成分（ＲＬｓ）が、前記の偏光を分岐するための少なくとも１つの手段によって、前記セキュリティ要素（４）によって反射された光からさらに分岐可能であることを特徴とする請求項７又は８に記載の装置。
【発明の詳細な説明】
【技術分野】
【０００１】
本発明は、セキュリティ文書のセキュリティ要素を確認するための方法及び装置に関する。
【背景技術】
【０００２】
機密文書又はセキュリティ文書は、１つ又は複数のセキュリティ要素を有し得る。この場合、例えば機密文書又はセキュリティ文書の真正が、当該セキュリティ要素の確認に応じて認証可能である。例えば、このような文書の偽造を識別できるようにするためには、このようなセキュリティ要素を確実に確認するための方法及び装置を提供することが望ましい。
【０００３】
機密文書又はセキュリティ文書が、いわゆる効果顔料を含み得ることが公知である。当該効果顔料は、セキュリティ要素を形成し得るか又はセキュリティ要素の一部を形成し得る。そこで、欧州特許第１７４８９０３号明細書は、セキュリティ対策製品用の機械式に読み取り可能なセキュリティ要素を記載している。当該明細書には、光学的に変化するプレート状の複数の効果顔料が記載されている。これらの効果顔料は、異なる少なくとも２つの照射角度又は観察角度を成す光学的に明瞭に識別可能な少なくとも２つ、最大で４つの離散した色を有する。さらに、当該セキュリティ要素は、蛍光特性を有する少なくとも１つの粒子状物質を含む。
【０００４】
独国特許出願公開第１０２００７０６３４１５号明細書は、製品又は当該製品に関する情報を識別するための方法及び対応する装置を開示する。この方法では、当該製品によって保有されている秘密コードが読み取られる。この場合、当該コードは、一組のエリプソメトリックパラメータによって与えられていて、この方法は、以下のステップから成る：
・当該製品の表面上の少なくとも１つの特定位置に対するエリプソメトリック変数を測定し、
・当該測定されたエリプソメトリック変数を予め記録された少なくとも１つのコードと比較し、
・当該測定されたエリプソメトリック変数と当該記録されたコード若しくは当該記録された複数のコードのうちの１つのコードとの一致を確認する、又は記録された各コードとの不一致を確認する。
【０００５】
米国特許第６４７３１６５号明細書は、光学式のセキュリティーフィーチャーによって物体を認証するための自動確認システムを開示する。この確認システムは、光学システム、搬送装置及び分析装置を有する。この光学システムは、狭域帯域の光ビーム又は広域帯域の光ビームを生成するための１つ又は複数の光源を有する。当該セキュリティーフィーチャーが配置されなければならない部分に、１つ又は複数の光ビームが当たるように、当該物体が位置決めされるように、この搬送装置は、当該光源と協働し且つ構成されている。異なる角度及び／又は波長を成す光ビームの光学特性が、当該物体の真正を確認するために分析可能であるように、この分析装置は、当該物体によって反射又は透過された光ビームを受光し且つ適合されている。
【０００６】
確認が、光学的に可変な効果顔料によって発生した効果に応じて実行し得る。例えば、光学的に可変な効果顔料によって発生した色シフト効果が提供される。
【０００７】
しかしながら、光学的に可変な効果顔料によって発生した効果、特に色シフト効果の確認は、特定の適用分野では困難又は不可能であり得る。光学的に可変な効果顔料によって発生した効果、例えば色シフト効果が、別の効果顔料を使用して模擬され得ることも可能である。したがって、実際には別の効果顔料が存在するものの、発生した効果に基づいて実行される当該光学的に可変な確認方法は、光学的に可変な或る効果顔料を確認し得る。これより、エラー確認が実行される。
【０００８】
光学的に可変な効果顔料を電界減衰要素として蛍光色素と一緒に使用することも公知である。例えば電界が、蛍光色素に印加されると、このような蛍光色素は、放射した蛍光ビームに応じた確認を可能にする。多くの用途では、例えば現金自動支払機では、このような印加及び確認は、同様に困難又は不可能であり得る。それ故に、当該蛍光ビームに依存しない方法を実行することが望ましい。
【先行技術文献】
【特許文献】
【０００９】
【特許文献１】欧州特許第１７４８９０３号明細書
【特許文献２】独国特許出願公開第１０２００７０６３４１５号明細書
【特許文献３】米国特許第６４７３１６５号明細書
【発明の概要】
【発明が解決しようとする課題】
【００１０】
それ故に、本発明の技術的課題は、確実な確認を可能にし、このような確認の適用分野を拡大する、機密文書又はセキュリティ文書のセキュリティ要素を確実に確認するための方法及び装置を提供することにある。
【課題を解決するための手段】
【００１１】
上記技術的課題は、請求項１及び７に記載の特徴を有する上記方法及び装置によって解決される。本発明のその他の好適な構成は、従属請求項に記載されている。
【００１２】
本発明の基本思想は、既定の照射パラメータによってセキュリティ要素を照射すること、特に異なる複数の反射角度を成して当該セキュリティ要素によって反射された光の、或る特定の偏光によって偏光された成分の強度を測定することである。このとき、当該セキュリティ要素中の効果顔料の存在と、場合によっては或る特定の種類の効果顔料とが、当該強度に応じて推定され得る。
【００１３】
セキュリティ文書のセキュリティ要素を確認するための方法が提唱される。当該セキュリティ要素は、当該セキュリティ文書中に又は当該セキュリティ文書上に配置又は含有され得る。
【００１４】
上記セキュリティ要素は、光学的に可変な特性を有する少なくとも１つの物質を含み得る。当該物質は、特に粒子状の物質、特に粉末状の物質でもよい。粒子状の物質が、特にプレート状の粒子を含んでもよい。当該物質は、色素として存在してもよい。
【００１５】
例えば、上記セキュリティ要素は、光学的に可変な特性を有する物質を形成している、複数のいわゆる電界減衰要素を含み得る。電界減衰要素が、例えば、大きく選択された比誘電率又は誘電率を有する誘電体材料から形成され得る。当該適切に大きく選択された比誘電率の結果として、及び、当該電界減衰要素間の中間領域の範囲内の、当該比誘電率によって引き起こされた電界の減衰に起因して、外部から印加された電界が、当該電界減衰要素によって増大され得る。その結果、蛍光色素を発光させるために必要な電界の強さが、上記中間領域内で得られることが有益に可能になる。この場合、当該電界減衰要素は、特に当該電界減衰要素に起因する中間領域と中間領域との間の大きさに関して、増幅効果を得るために適切に寸法決めされ得る。当該電界減衰要素が、導電性材料から形成されていることによって、非常に有益な電界の圧縮が、当該電界減衰要素に起因する当該中間領域内で達成可能である。その結果、当該複数の電界減衰要素は、それらの周囲によってそれぞれ絶縁された複数のいわゆる「フロート」電極を形成している。
【００１６】
電界減衰要素は、約５００μｍまでの側面寸法、特に２μｍ〜１００μｍの寸法を有し得る。
【００１７】
上記電界の、適切で且つ使用された蛍光色素に適合可能な作用及び集光のために、上記電界減衰要素は、好ましくは印刷技術的に、すなわち、例えばグラビア印刷技術又はシルクスクリーン印刷技術のような、例えば従来の印刷方法を使用して、セキュリティ文書の支持体上に印刷されている。
【００１８】
上記電界減衰要素又はその一部は、約５０より大きい比誘電率を有する色素として、特に導電性の色素として、上記蛍光色素に加えて、上記セキュリティ要素を形成しているマーキング層中に埋め込まれてもよい。
【００１９】
しかしながら、上記の提唱されている方法は、電界減衰要素として形成されていないか又はこのような電界減衰要素を含有していない光学的に可変な物質を有するセキュリティ要素を確認するためにも適している。また、当該セキュリティ要素が、蛍光物質、例えば蛍光色素を含有することは、必ずしも必要でない。
【００２０】
上記の光学的に可変な特性を有する物質は、いわゆる効果顔料とも記され得るか又はこのような効果顔料を含有し得る。当該光学的に可変な特性を有する物質は、異なる複数の照射角度及び／又は監察角度の下で、視覚的に知覚可能な様々な色彩の印象及び／又は明るさの印象を残し得る。様々な複数の色彩の印象の場合、この特性は、色相と記され得る。特に、１つの色相を有するか又は生じる複数の物質が、これによって製造されたセキュリティ要素において複写不可能な色彩の印象及び明るさの印象を発生させる。当該色彩の印象及び明るさの印象は、補助器具なしの肉眼によって良好に知覚可能である。
【００２１】
上記光学的に可変な物質は、異なる少なくとも２つの照射角度又は観察角度を成す少なくとも２つ、最大で４つの光学的に明瞭に識別可能な離散した光を有し得る、好ましくは異なる２つの照射角度又は観察角度を成す２つの光学的に明瞭に識別可能な離散した光を有し得る、異なる３つの照射角度又は観察角度を成す光学的に明瞭に識別可能な離散した光を有し得る。特に、離散した複数の色調だけがそれぞれ存在し、中間色調が存在しない。すなわち、一方の色から他方の色へのより明瞭な変化が、光学的に可変な物質を含有するセキュリティ要素を傾けたときに識別可能である。この特性は、当該セキュリティ要素を真正として識別することを観察者に容易にさせ、同時に当該特徴の複写可能性を困難にする。何故なら、色調の効果が、通常のカラーコピー機では複写又は再生され得ないからである。
【００２２】
上記物質の光学作用を完全に発揮できるようにするためには、本発明にしたがって使用される光学的に可変な特性を有する物質が、当該物質を含有するセキュリティ要素中で指向性を持つこと、すなわち当該物質が、セキュリティ文書の、当該セキュリティ要素を有する表面に対してほぼ平行に配向され得ることが有益である。
【００２３】
特にプレート状の効果顔料が、光学的に可変な物質として使用され得る。例えば、Ｍｅｒｃｋ株式会社のＩｒｉｏｄｉｎ（登録商標）、Ｃｏｌｏｒｓｔｒｅａｍ（登録商標）、Ｘｉｒｌｌｉｃ（登録商標）、Ｌｕｓｔｒｅｐａｋ（登録商標）、Ｃｏｌｏｒｃｒｙｐｔ（登録商標）、Ｃｏｌｏｒｃｏｄｅ（登録商標）及びＳｅｃｕｒａｌｉｃ（登録商標）の商品名の下で提供される、商店で購入可能な干渉顔料、Ｍｅａｒｌ社のＭｅａｒｌｉｎ（登録商標）、Ｅｃｋｈａｒｄ社の金属顔料、並びに、例えばＢＡＳＦ社のＶａｒｉｏｃｈｒｏｍ（登録商標）、Ｆｌｅｘ  Ｐｒｏｄｕｃｔｓ株式会社のＣｈｒｏｍａｆｆｌａｉｒ（登録商標）、Ｗａｃｋｅｒ社のＨｅｌｉｃｏｎｅ（登録商標）又はＳｐｅｃｔｒａｔｅｃ社のホログラフィック顔料のような角度依存性の（光学的に可変な）効果顔料、並びに、同様に商業的に購入可能なその他の顔料が、光学的に可変な物質として使用され得る。しかしながら、この列挙は、例示にすぎず、限定したものと見なしてはならない。
【００２４】
特に、どんな色調が、どんな入射角度で、白色光の入射時に上記光学的に可変な物質によって反射されるかが知られ得る。
【００２５】
セキュリティーフィーチャーによって不正製造及び／又は偽造から保護されている、物理的な存在であるあらゆる文書が、セキュリティ文書と記される。セキュリティーフィーチャーは、偽造及び／又は複製を少なくとも簡単な複写に対して困難にする特徴である。セキュリティーフィーチャーを有するか又は形成する物理的な存在が、セキュリティ要素と記され得るか又はセキュリティ要素を有し得る。１つのセキュリティ文書が、複数のセキュリティーフィーチャー及び／又は複数のセキュリティ要素を有し得る。ここで確定された定義の意味では、１つのセキュリティ文書が、１つのセキュリティ要素を常に意味するか又はこのようなセキュリティ要素を有する。機密である機密文書も含むセキュリティ要素に対する例は、例えば、パスポート、身分証明書、運転免許証、ＩＤカード、入場券、健康保険証、銀行券、郵便切手、キャッシュカード、クレジットカード、スマートカード、切符、タグを網羅する。
【００２６】
上記に提唱されている方法は、以下に記載されている方法ステップを有する。
【００２７】
第１ステップでは、上記セキュリティ要素又はこのセキュリティ要素が配置されているセキュリティ文書の領域が、既定の少なくとも１つの照射パラメータによって照射される。当該照射は、例えば光源によって実行され得る。
【００２８】
この場合、照射パラメータが、例えば或る照射角度を有する。この場合、この照射角度は、光の入射角度又は入射ビーム角度を意味する。この入射角度は、当該光の入射面内の、入射光と上記セキュリティ要素又は上記セキュリティ文書の表面の法線ベクトルとの間の角度として規定され得る。この場合、当該入射光の光ビームが、上記のセキュリティ要素又はセキュリティ文書の表面に対して垂直に指向されている当該入射面内に延在している。
【００２９】
さらに、照射パラメータは、上記入射光の波長であり得る。さらに、照射パラメータは、上記入射光の偏光状態であり得る。偏光状態は、例えば偏光方位及び／又は偏光に関する楕円率に応じて表現され得る。照射パラメータは、特に当該入射光の強度でもよい。
【００３０】
当然に、上記入射光の別の照射パラメータも、既定の照射パラメータとして選択されることが考えられる。
【００３１】
上記少なくとも１つの照射パラメータは、特に、ユーザによって設定可能な照射パラメータでもよい。
【００３２】
第２方法ステップでは、上記セキュリティ要素によって反射された光が、第１偏光を有する第１成分に分岐される。以下では、当該反射された光の第１偏光を有する第１成分は、第１成分とも略記される。特に、或る既定の反射角度を成して上記セキュリティ要素又は上記セキュリティ文書によって反射される光が分岐され得る。したがって、或る特定の偏光を有する１つの成分又は１つの要素が、当該セキュリティ要素によって反射された光から分岐される。当該第１成分の偏光角度が、例えば反射面又は出射面に対して測定される。この場合、当該反射面又は出射面は、当該セキュリティ要素又はセキュリティ文書の上記の表面に対して垂直に指向されていて、当該反射光の光ビームが、当該反射面又は出射面内に延在している。例えば、当該第１成分が、９０°の偏光角度を有する。しかしながら、当然に、当該偏光角度は、９０°とは異なる値を有してもよい。以下で、当該角度をさらに説明する。
【００３３】
この場合、上記分岐は、偏光を分岐するための手段、特にいわゆる偏光フィルタによって実行され得る。
【００３４】
第３方法ステップでは、或る反射角度を成して反射される反射光の第１成分の強度が測定される。この場合、当該反射角度は、上記の光の反射面内の角度として、当該反射光と上記セキュリティ要素又は上記セキュリティ文書の表面の法線ベクトルとの間の角度として規定される。この場合、当該反射光の光ビームが、このセキュリティ要素又このセキュリティ文書の上記の表面に対して垂直に指向されている当該反射面内に延在している。当該反射面は、出射面とも記され得る。この場合、当該強度の測定は、少なくとも１つの反射角度に対して、特に互いに異なる複数の反射角度に対して実行される。
【００３５】
第４の方法ステップでは、光学的に可変な特性を有する物質の存在が、上記第１成分の強度に応じて確認される。この場合、当該第１成分の強度は、強度を測定するための手段、例えば光センサによって測定され得る。さらに、光学的に可変な特性を有する物質の種類又はタイプを、当該第１成分の強度に応じて確認することが可能になり得る。以下では、当該物質の種類又はタイプは、種類とも略記される。上記セキュリティ要素は、確認されたその種類に応じても確認され得る。１つの種類が、既定の物質又は規定の物質の組成から成る１つのセキュリティ要素を特徴付ける。当該確認は、このために定量的に検出又は測定され得る反射角度に応じて実行されてもよい。
【００３６】
上記の提唱されている方法は、上記光学的に可変な物質によって奏される２つの効果を有益に利用する。第一の効果では、上記入射光の偏光状態が、光学的に可変な特性を有する物質によって変化する。当該変化は、上記セキュリティ要素によって反射された光の偏光特性が、上記入射光の偏光特性と区別されることを意味する。この効果は、当該入射光の複数の偏光成分のうちの主として１つの偏光成分が物質に固有のブリュースター角を成して反射されるという既知の効果に似ている。
【００３７】
第二の効果は、上記の光学的に可変な特性を有する物質に起因した複数の反射光ビームの干渉によって奏されている。この場合、当該干渉は、物質の幾何学的寸法、特に層厚又は物質の構成要素、特に顔料によって決まる。当該干渉は、上記セキュリティ要素又はセキュリティ文書の（理想的に平坦な）表面に対する当該物質の構成要素の配向によっても決まる。したがって、当該干渉は、当該セキュリティ要素の表面の不均一性によって決まる。入射光の少なくとも一部が、光学的に可変な特性を有する物質を透過し得るので、当該干渉は、この物質の下に存在する層、例えば紙層によっても決まる。紙の表面に関連する不均一性が、例えば干渉層の厚さよりも非常に大きくなり得る、例えば個々の顔料粒子又は粒子集合体に相当する。
【００３８】
したがって、上記セキュリティ文書と上記セキュリティ要素との物質の組成、並びに、当該セキュリティ文書中又は上の光学的に可変な特性を有する物質の要素、特に顔料の分布及び配向が、上記入射光の散乱を発生させる。
【００３９】
上記の２つの効果は、協働して、光学的に可変な特性を有する物質による偏光した光の散乱を引き起こす。この場合、当該偏光した光の散乱は、光学的に可変な特性を有する物質の存在と、以下でさらに詳しく説明するように、場合によっては当該物質の種類とを確認することを可能にする特性を有する。上記の２つの効果に加えて、例えば、同様に上記セキュリティ要素とこのセキュリティ要素の下に存在する層との表面の不均一性によって発生する散乱効果を当該偏光した光の散乱に寄与させることも可能である。
【００４０】
特に、上記の効果の結果として、上記セキュリティ要素によって反射された、特定の偏光特性を有する光が、特定の反射角度の下で規定の強度を有する。
【００４１】
上記の偏光特性の変化は、特に光学的に可変な特性を有する物質の種類によって決まり得る。当該偏光特性の変化は、少なくとも１つの照射パラメータによっても決まり得る。
【００４２】
例えば、上記強度が、既定の強度に一致するか又は規定の強度間隔内に存在する場合に、光学的に可変な特性を有する物質の存在が、上記第１成分の強度に応じて確認され得る。例えば、当該第１成分の強度が、既定の強度よりも大きいか又は規定の強度よりも小さいか又は規定の強度間隔内の既定の強度の近辺に存在する場合に、当該存在が確認され得る。
【００４３】
この場合、上記既定の強度は、例えば予備テスト中に検出され得る。光学的に可変な特性を有する物質の１つの種類又は複数の種類が、予備テスト中に及び／又はシミュレーションによって確認され得る。この場合、様々な確認パラメータが設定され得る。例えば、様々な照射パラメータが設定され得る。この代わりに又はこれに加えて、様々な反射角度が設定され得る。さらに、この代わりに又はこれに加えて、上記第１成分の強度が、この第１成分の様々な偏光状態に対して測定され得る。或る偏光状態が、例えば１つの偏光角度によって表現され得る。さらに、この代わりに又はこれに加えて、当然に、当該第１成分の強度の高さに影響する設定可能なパラメータがさらに設定され得る。
【００４４】
このとき、上記の物質の種類と、上記の設定された確認パラメータと、上記の設定された確認パラメータに応じて検出された第１成分の強度とが、例えば記憶装置内に例えばデータバンク式に記憶され得る。
【００４５】
このとき、本発明にしたがって測定された上記第１成分の強度が、記憶された複数の強度と比較され得る。光学的に可変な特性を有する物質の複数の種類のうちの少なくとも１つの存在が、当該比較に応じて確認され得る。当該存在の確認に加えて、その種類も識別され得る。例えば、特定の確認パラメータによる確認時に、本発明にしたがって測定された当該第１成分の強度が、同じ確認パラメータの下で検出された記憶された１つの強度と違わないか又は規定の程度しか違わない場合に、当該種類は、当該記憶された１つの強度に割り当てられた種類として識別され得る。例えば、本発明にしたがって識別された種類が、認証された文書に対して予測される種類に一致するときは、当該種類の確認は有効であり得る。したがって、本発明にしたがって識別された種類が、認証された文書に対して予測される種類に一致しないときは、当該種類の確認は有効であり得ない。
【００４６】
上記の提唱されている方法は、光学的に可変な特性を有する物質の少なくとも１つの存在の確実な認証を有益に可能にする。特に、蛍光顔料の発光と色の潜像の分析との双方が、上記セキュリティ要素の確認に対して不要である。
【００４７】
上記方法は、特に以下のステップを有する：
１つの方法ステップでは、或る指向反射角度を成して反射される反射光の第１成分の強度が測定される。この場合、当該指向反射角度は、絶対値に関して入射角度に一致するが、規定された共通の角度に対して相違する符号を有する。
【００４８】
別のステップでは、少なくとも１つの別の反射角度を成して反射される反射光の第１成分の強度が測定される。この場合、当該少なくとも１つの別の反射角度は、上記指向反射角度とは異なる。したがって、当該少なくとも１つの別の反射角度は、当該指向反射角度とは異なるように選択される。特に、当該少なくとも１つの別の反射角度は、絶対値に関して当該指向反射角度よりも小さくてもよく又は大きくてもよい。この場合、当該少なくとも１つの別の反射角度は、上記の反射角度でもよい。
【００４９】
上記第１成分の強度は、上記のように、当該強度を測定するための手段、例えば光学センサによって測定され得る。当該第１成分が、異なる角度の下で、偏光を分岐するために上記手段によって分岐され、当該第１成分の強度が、強度を検出するために当該手段によって測定されることが可能である。
【００５０】
この代わりに、上記第１成分が、上記指向反射角度を成す反射時に偏光を分岐するために１つの第１手段によって分岐され、この第１成分の強度が、強度を検出するために１つの第１手段によって測定されることが可能である。この場合、当該第１成分は、上記少なくとも１つの別の角度の反射時に偏光を分岐するために１つの別の手段によって分岐され、この第１成分の強度が、強度を検出するために１つの別の手段によって測定される。
【００５１】
１つの別のステップでは、少なくとも２つの特定の強度が比較される。上記少なくとも１つの別の反射角度を成す反射時の第１成分の強度が、上記指向反射角度を成す反射時の第１成分の強度よりも大きい場合に、光学的に可変な特性を有する物質の存在が確認される。
【００５２】
当然に、全てにおいて上記指向反射角度とは異なる複数の別の反射角度を成す反射時の第１成分の強度が測定され得る。
【００５３】
上記指向反射角度を成す反射時の第１成分の強度が、上記の少なくとも１つの別の反射角度／複数の別の反射角度を成す反射時の第１成分の強度よりも大きい場合に、光学的に可変な特性を有する物質の存在が確認され得ない。
【００５４】
上記指向反射角度とは異なる１つの反射角度又は複数の当該反射角度を成す反射時の第１成分の強度が、当該指向反射角度を成す反射時の第１成分の強度よりも大きい場合に、光学的に可変な特性を有する物質の存在が確認され得る。
【００５５】
上記の提唱されている方法は、少なくとも２つの強度の簡単に実行可能な比較によって、光学的に可変な特性を有する物質の少なくとも１つの存在の確実な確認を有益に可能にする。この場合、ほとんどの物質又は物質の組成の場合の反射光の強度が、上記指向反射角度を成す反射時に上記第１成分の最大強度を有するという効果が利用される。すなわち、例えば偽造の確認時に光学的に可変な特性を有する物質として使用される物質が、当該指向反射角度の反射時に当該第１成分の最大強度を有することが、例えば予備テスト中に確認され得る。
【００５６】
別の実施の形態では、少なくとも１つの反射角度、特に少なくとも１つの別の反射角度が、特性散乱角度として選択される。この場合、当該特性散乱角度は、少なくとも１つの照射パラメータと光学的に可変な特性を有する確認すべき物質の種類とによって決まる。
【００５７】
その結果、光学的に可変な特性を有する物質、特に或る既定の種類の物質の存在の確実な確認が、有益に可能になる。同様に、その結果、上記セキュリティ要素のさらに確実な確認が、有益に可能になる。
【００５８】
この実施の形態では、上記第１成分の強度の最大値が、物質に固有の特性散乱角度を成して発生するように、光学的に可変な特性を有する当該固有の物質が、上記の偏光した光の散乱を発生させるという効果が利用される。
【００５９】
したがって、光学的に可変な特性を有する或る特定の種類の物質が、上記セキュリティ要素中に存在するか否かが確認されなければならない場合、上記少なくとも１つの別の反射角度が、上記物質に固有の特性散乱角度に応じて選択され得る。当該固有の物質が、当該セキュリティ要素中に実際に含まれている場合、当該特性散乱角度を成す反射時の第１成分の検出された強度が、上記指向反射角度を成す反射時に検出された強度よりも大きいことが、より大きい確信を持って保証されている。しかしながら、当該特性散乱角度の下で検出された第１成分の強度が、より小さい場合、当該固有の物質が、当該セキュリティ要素中に存在する可能性が、この時点で既に排除され得る。
【００６０】
好適な実施の形態では、上記特性散乱角度を成す反射時の第１成分の強度が、最大である場合に及び／又は規定の強度に一致する場合に、光学的に可変な特性を有する或る特定の物質が識別される。
【００６１】
第１の別形態では、複数の反射角度を成す反射時の第１成分の強度が、例えば既定の角度範囲の複数の反射角度に対して測定され得る。すなわち、複数の反射角度に対する強度変化が測定され得る。当該第１成分の強度が最大である反射角度が、この強度変化から測定され得る。このとき、光学的に可変な特性を有する物質の種類が、最大強度のこの反射角度に応じて識別され得る。
【００６２】
例えば、特定の確認パラメータによる確認時に、本発明にしたがって測定された上記反射角度が、同じ確認パラメータの下で検出された上記の記憶された特性散乱角度と違わないか又は規定の程度しか違わない場合に、上記種類は、当該記憶された１つ特性散乱角度に割り当てられた種類として識別され得る。当該識別は、例えば、適切に構成された評価装置によって実行され得る。
【００６３】
このため、上記のように、物質に固有のそれぞれの特性散乱角度が、光学的に可変な特性を有する様々な種類の物質に対して、場合によっては様々な確認パラメータに対して、例えばデータバンク内に記憶され得る。これらの情報は、例えば予備テストによって検索され得る。
【００６４】
この代わりに又はこれに加えて、上記特性散乱角度を成して反射された光の第１成分の強度が、既定の複数の強度値と比較され得る。例えば、この代わりに又はこれに加えて、上記のデータバンクが、様々な種類の物質と、場合によっては様々な確認パラメータとに対して、当該特性散乱角度の下で測定される第１成分の複数の強度も有し得る。その結果、光学的に可変な特性を有する或る固有の物質の時間的に速い識別が、有益に可能になる。
【００６５】
このため、上記第１成分の強度が、上記入射光の強度に規格化され得る。その結果、当該入射光の強度が異なるか又は変動するときでも、当該強度の確実な測定が、有益に可能になる。
【００６６】
したがって、セキュリティ文書のセキュリティ要素を確認するための方法では、このセキュリティ要素が、少なくとも１つの既定の照射パラメータによって照射され、セキュリティ要素によって反射された光が、第１偏光を有する第１成分に分岐され得る。このとき、当該第１成分の強度が、少なくとも上記の特性散乱角度を成す反射時に測定され得る。当該第１成分の強度が、既定の強度に一致する場合に、光学的に可変な特性を有する固有の物質の存在が確認され、場合によっては当該物質の或る特定の種類が確認される。その結果、光学的に可変な特性を有する固有の物質の存在の強度に基づく確実な確認と、当該物質の識別とが、有益に可能になる。
【００６７】
別の実施の形態では、上記セキュリティ要素によって反射された光が、上記第１成分と、上記第１成分に対して直交する偏光を有する別の成分とに分割される。この場合、さらに当該別の成分の強度に応じて、光学的に可変な特性を有する物質の存在が確認され、及び／又は、光学的に可変な特性を有する物質の或る特定の種類が識別される。
【００６８】
このため、上記別の成分の強度も測定され得る。特に、当該測定は、上記指向反射角度を成して反射された光と、この指向反射角度とは異なる反射角度を成して反射された光とに対して実行される。
【００６９】
この場合、光学的に可変な特性を有する物質の存在が、上記第１成分の強度と上記別の成分の強度との違いに応じて確認され得る。当該違いは、例えば差又は比として評価され得る。例えば、当該比が、既定の閾値よりも大きい場合に、光学的に可変な特性を有する物質の存在が確認され得る。
【００７０】
すなわち、特に、異なる複数の偏光状態に対する強度の分布が、最大値と最小値とを有するように、上記反射光が、有益に偏光されるという効果が有益に利用される。この場合、９０°の偏光角度が、最大値と最小値との間に存在する。
【００７１】
この代わりに又はこれに加えて、光学的に可変な特性を有する或る特定の種類の物質が、さらに上記別の成分の強度に応じて識別され得る。
【００７２】
例えば、上記別の成分の強度は、光学的に可変な特性を有する或る特定の種類の物質に対して固有であり得る。
【００７３】
また、上記別の成分の強度に対する上記第１成分の強度の違い、特に比が、或る特定の種類の物質に対して固有であり得る。
【００７４】
したがって、光学的に可変な特性を有する或る特定の種類の物質が、より確実に有益に確認され得る。上記別の成分に固有の強度が、上記のように、対応するデータバンク内にも記憶され得る。
【００７５】
したがって、セキュリティ文書のセキュリティ要素を確認するための方法では、当該セキュリティ要素が、少なくとも１つの既定の照射パラメータによって照射され得る。このとき、当該セキュリティ要素によって反射された光が、第１偏光を有する第１成分と、この第１成分に対して直交する偏光を有する別の成分とに分岐され得る。このとき、当該第１成分の強度と、当該別の成分の強度とが測定され得る。当該測定は、特に、上記の特性散乱角度を成して反射される光に対して実行され得る。
【００７６】
例えば、上記第１成分の強度と上記別の成分の強度とが、既定の程度だけ異なる場合に、光学的に可変な特性を有する物質の存在が確認され得る。例えば、当該別の成分の強度に対する当該第１成分の強度の比が、既定の閾値よりも大きい場合に、当該存在が確認され得る。
【００７７】
この代わりに又はこれに加えて、光学的に可変な特性を有する或る特定の種類の物質が、上記第１成分と上記別の成分との強度に応じて識別され得る。例えば、当該第１成分の強度と当該別の成分の強度との双方が、或る特定の種類の物質に対して固有であり得る。また、当該別の成分の強度に対する当該第１成分の強度の違い、特に比が、当該特定の種類の物質に対して固有であり得る。当該強度の違いは、特に、予め設定されている確認パラメータに対して、特に上記の特性散乱角度に対して成立し得る。
【００７８】
したがって、或る特定の種類の物質が、既定の確認パラメータによって確認されるときに、上記第１成分と上記別の成分とが、どんな強度及び／又はどんな強度比を有するかが、例えば予備テスト及び／又はシミュレーション中に確認され得る。このとき、先で既に説明したように、確認が、この結果に応じて実行され得る。
【００７９】
別の実施の形態では、上記第１成分の偏光方向と反射面との間の角度が、特性偏光角度として選択される。この場合、当該特性偏光角度は、少なくとも１つの照射パラメータと、光学的に可変な特性を有する確認すべき物質の種類とによって決まる。特に、当該第１成分の強度が、残りの偏光方向を有する成分の強度に比べて最大であるように、当該第１成分の偏光方向と当該反射面との間の角度が選択される。したがって、当該第１成分が、異なる複数の偏光方向に対して最大の強度を有するように、当該第１成分が分岐される。この場合、対応する偏光角度は、光学的に可変な特性を有する物質の種類に対して固有であり、少なくとも１つの照射パラメータによって決まる。
【００８０】
したがって、予備テスト及び／又はシミュレーション中に、異なる複数の照射パラメータと、光学的に可変な特性を有する物質の異なる複数の種類とのそれぞれに対して、当該第１成分が最大強度を有する角度が、当該第１成分の偏光方向と当該反射面との間で確認され得る。この角度は、特性偏光角度として、例えば上記のデータバンク内に記憶され得る。当該第１成分の偏光方向と当該反射面との間の角度は、先に既に説明した複数の確認パラメータのうちの１つの確認パラメータでもよい。
【００８１】
上記確認に対する以下の方法の場合、上記偏光方向と上記反射面とが、上記特性偏光角度を成すように、上記反射光が分岐されるように、例えば、偏光を分岐するための手段が配置され得る。
【００８２】
上記特性偏光角度も、物質に固有であるので、光学的に可変な特性を有する或る特定の種類の物質の識別の信頼性が、有益に向上する。
【００８３】
別の実施の形態では、上記セキュリティ要素が、直線偏光によって照射される。これにより、楕円偏光に比べて安価な測定装置が、有益に得られる。
【００８４】
上記セキュリティ要素は、上記のように、光学的に可変な特性を有する物質と、蛍光物質、特に蛍光顔料との双方を含有し得る。特に、当該光学的に可変な特性を有する物質は、電界減衰要素を含有又は形成し得る。この場合、上記の提唱されている方法を実行する前に、当該蛍光顔料を発光させるための交番電界が、当該セキュリティ要素に印加され得る。その後に、放射された蛍光又は放射された蛍光ビームが検出され得る。放射された蛍光ビームが検出された場合に、及び／又は、当該蛍光ビームの特性が、既定の特性に一致する場合に初めて、本発明の方法が実行され得る。したがって、当該蛍光物質が、問題なく確認された場合に初めて、本発明の方法が実行され得る。すなわち、（或る特定の種類の）蛍光物質の存在が検出された場合に初めて本発明による確認が実行される。当該蛍光物質の確認が成功しなかった場合、当該方法は中断され得る。この場合、当該確認のための本発明の方法は実行されない。
【００８５】
この代わりに、上記の確認のための本発明にしたがって提唱されている方法が、最初に実行されてもよい。この場合、上記光学的に可変な特性を有する物質が、問題なく確認された後に初めて、上記蛍光物質が、さらに確認される。このため、上記蛍光顔料を発光させるための交番電界が、上記セキュリティ要素に印加され得る。これにより、放射された蛍光又は放射された蛍光ビームが検出され得る。例えば、放射された蛍光ビームが検出された場合に、及び／又は、当該蛍光ビームの特性が、既定の特性に一致する場合に、当該蛍光物質が確認され得る。当該光学的に可変な特性を有する物質の確認が失敗した場合、当該蛍光物質も確認されない。
【００８６】
セキュリティ文書のセキュリティ要素を確認するための装置も提唱される。この場合、当該セキュリティ要素は、光学的に可変な特性を有する少なくとも１つの物質を含み得る。
【００８７】
上記装置は、上記セキュリティ要素を照射するための少なくとも１つの光源を有する。この場合、当該光源は調整可能である。特に、当該光源の照射パラメータが調整可能である。すなわち、当該光源によって生成された光の、例えば、波長、強度、入射角度及び／又は偏光状態が調整され得る。
【００８８】
当然に、上記装置が、上記光源のほかにその他の光学要素、例えば、光学フィルタ、変調器及びビームを誘導するための手段を有することが提唱可能である。この場合、上記光源によって生成された光の照射パラメータが、これらの光学要素によって調整可能である。すなわち、例えば、上記入射光の偏光状態が、偏光フィルタによって調整され得る。
【００８９】
さらに、上記装置は、上記セキュリティ要素によって反射された光の偏光を分岐するための少なくとも１つの手段を有する。第１偏光を有する当該反射光の第１成分が、当該偏光を分岐するための手段によって分岐可能である。
【００９０】
このため、上記第１成分の偏光方位が、上記の特性偏光角度に一致するように、上記偏光を分岐するための手段は構成及び／又は配置され得る。
【００９１】
さらに、上記装置は、上記第１成分の強度を検出するための少なくとも１つの第１手段を有する。
【００９２】
さらに、上記装置は、少なくとも１つの評価装置、例えば、マイクロプロセッサとして構成された評価装置を有する。当該評価装置は、上記強度を検出するための手段に信号技術的に接続され得る。
【００９３】
或る反射角度を成して反射される反射光の第１成分の強度が、上記の強度を検出するための第１手段によって、少なくとも１つの反射角度に対して測定可能である。光学的に可変な特性を有する物質の存在が、上記評価装置によって、当該第１成分の強度に応じて確認可能である。
【００９４】
この場合、上記装置は、上記の複数の方法のうちの１つの方法の実行を有益に可能にする。
【００９５】
特に、或る指向反射角度を成して反射される反射光の第１成分の強度が、上記の強度を検出するための第１手段によって測定可能である。少なくとも１つの別の反射角度を成して反射される反射光の第１成分の強度が、強度を検出するための当該第１手段又は別の手段によって測定可能である。この場合、この別の反射角度は、当該指向反射角度とは異なる。
【００９６】
このとき、上記少なくとも１つの別の反射角度を成す反射時の第１成分の強度が、上記指向反射角度を成す反射時の第１成分の強度よりも大きい場合に、光学的に可変な特性を有する物質の存在が、上記評価装置によって確認可能である。
【００９７】
この場合、上記第１成分が、専ら上記指向反射角度を成して分岐され、この第１成分の強度が検出されるように、上記の偏光を分岐するための手段と強度を検出するための第１手段との双方が構成及び／又は配置されてもよい。
【００９８】
上記指向反射角度とは異なる少なくとも１つの別の反射角度を成す反射時の第１成分の強度も、上記の強度を検出するための第１手段によって測定可能である。このため、上記少なくとも１つの別の反射角度を成して反射される光だけが、分岐されて検出されるように、上記の強度を検出するための第１手段と、場合によっては偏光を分岐するための手段との配置、特に位置及び／又は方向が変更可能でもよい。このため、上記装置は、上記の強度を検出するための第１手段及び／又は偏光を分岐するための手段の配置、特に位置及び／又は方向を調整するための適切な調整装置を有し得る。
【００９９】
この代わりに、上記少なくとも１つの別の反射角度を成す反射時の第１成分の強度が、強度を検出するための別の手段によって測定され得る。この場合、上記装置は、偏光を分岐するための別の手段も有し得る。この場合、当該第１成分が、当該少なくとも１つの別の反射角度を成して反射される光だけから分岐され、この第１成分の強度が測定されるように、当該強度を検出するための別の手段及び／又は当該偏光を分岐するための別の手段が構成及び／又は配置され得る。
【０１００】
上記少なくとも１つの別の反射角度を成す反射時の第１成分の強度が、上記指向反射角度を成す反射時の第１成分の強度よりも大きい場合に、光学的に可変な特性を有する物質の存在が、上記評価装置によって確認され得る。
【０１０１】
この場合、上記の強度を検出するための第１手段及び／又は強度を検出するための別の手段は、空間的に固定されて設置され得る。このことは、強度を検出するための対応する手段の位置及び／又は方向が固定されていることを意味する。
【０１０２】
この場合、上記の提唱されている方法は、上記の複数の方法のうちの１つの方法の実行を有益に可能にする。
【０１０３】
別の実施の形態では、上記の強度を検出するための第１手段の少なくとも１つの入射角度が調整可能である。このことは、上記セキュリティ要素に対する当該検出するための第１手段の相対位置及び／又は相対方向が変更され得ることを意味する。したがって、例えば、当該強度を検出するための第１手段の位置及び／若しくは方向並びに／又は当該セキュリティ要素の位置及び／若しくは方向が変更され得る。特に、希望した反射角度が設定されるように、当該入射角度が選択され得る。
【０１０４】
この代わりに又はこれに加えて、上記装置は、上記第１成分の強度を検出するための少なくとも１つの別の手段を有する。この場合、当該強度を検出するための少なくとも１つの別の手段の入射角度が調整可能である。このことは、上記セキュリティ要素に対する当該強度を検出するための別の手段の相対位置及び／又は相対方向が変更され得ることを意味する。
【０１０５】
当然に、上記の偏光を分岐するための手段及び／又は偏光を分岐するための別の手段の位置及び／又は方向も変更され得る。したがって、偏光を分岐するためのこれらの手段の入射角度も調整可能である。
【０１０６】
その結果、複数の入射角度と反射角度とに対する第１成分の強度の検出が、有益に可能になる。したがって、光学的に可変な特性を有する異なる種類の物質も、様々な装置によって識別され得る。この場合、これらの様々な種類は、様々な特性散乱角度を有する。
【０１０７】
別の実施の形態では、上記第１偏光に対して直交する偏光を有する別の成分が、上記の偏光を分岐するための少なくとも１つの手段によって、上記セキュリティ要素によって反射された光からさらに分岐可能である。この場合、上記装置は、当該別の成分の強度を検出するための手段を有し得る。
【０１０８】
さらに、上記第１手段及び／又は上記の偏光を分岐するための少なくとも１つの別の手段が、偏光ビームスプリッタとして又は偏光フィルタとして、特に偏光フィルムとして構成され得る。
【０１０９】
本発明を複数の実施の形態に基づいて詳しく説明する。
【図面の簡単な説明】
【０１１０】
【図１】本発明の装置の機能の第１の実施の形態を概略的に示す。
【図２】光学的に変化する特性を有する異なる種類の複数の物質の第１成分の強度と第２成分の強度との例示的な変化を示す。
【図３】本発明の第２の実施の形態を概略的に示す。
【図４】本発明の第３の実施の形態を概略的に示す。
【図５】本発明の第４の実施の形態を概略的に示す。
【図６】本発明の第５の実施の形態を概略的に示す。
【図７】本発明の装置の投影図である。
【図８】図７に示された装置の長手断面図である。
【図９】本発明の別の装置の長手断面図である。
【発明を実施するための形態】
【０１１１】
以下では、同じ符号は、同じ又は類似の技術的特徴を有する要素を示す。
【０１１２】
図１には、本発明の装置１の第１の実施の形態が概略的に示されている。装置１は、１つの光源２を有する。光源２は、セキュリティ要素４に対して入射角度Φ０を成す光ビーム３によって例示的に示されている光を放射する。セキュリティ要素４は、図示されなかったセキュリティ文書の構成要素でもよい。セキュリティ要素４は、光学的に変化する特性を有する物質５を含む。物質５は、特に効果顔料として形成されている。蛍光色素６が、物質５の粒子間又は要素間の中間領域内に配置されている。この場合、蛍光色素６を発光させるため、物質５は、電界密度のための電界可変要素として使用される。
【０１１３】
図１には、入射角度Φ０が、セキュリティ要素４又は図示されなかったセキュリティ文書の表面８に対して垂直に指向されている法線方向７と光ビーム３との間の角度として既定されていることが示されている。図１に示された光ビーム３は、図示されなかった１つの入射面内に延在している。この入射面は、同様に表面８に対して垂直に指向されていて、法線方向７に対して平行に直線状に延在して配置されている。光ビーム３が、第１成分ＥＬｐを有することが示されている。第１成分ＥＬｐは、当該入射面内に延在している１つの偏光面を有する。さらに、光ビーム３は、１つの別の成分ＥＬｓを有する。この別の成分ＥＬｓの偏光面が、当該入射面に対して垂直に指向されている。しかし、ＥＬｐとＥＬｓとは、任意の直交偏光状態を呈してもよい。
【０１１４】
この場合、光ビーム３は、既定の１つの波長と既定の１つの偏光状態とを有する。
【０１１５】
装置１は、偏光ビームスプリッタ１０、第１光センサ１１及び第２光センサ１２をさらに有する。この場合、既定の反射角度ΦＲを成して反射され、反射光ビーム９によって例示的に示されている光が、分岐されて受光されるように、偏光ビームスプリッタ１０及び光センサ１１，１２は配置されている。
【０１１６】
反射角度ΦＲは、セキュリティ要素４又は図示されなかったセキュリティ文書の表面８に対して垂直に指向されている法線方向７と反射光ビーム９との間の角度として既定されている。この場合、反射光ビーム９は、１つの反射面内に延在している。この反射面は、同様にセキュリティ要素４又は図示されなかったセキュリティ文書の表面８に対して垂直に指向されていて、法線方向７に対して平行に直線状に延在して配置されている。
【０１１７】
上記反射光は、上記反射面内に延在している１つの偏光方向を有する第１成分ＲＬｐを含む。同様に、当該反射光は、第１成分ＲＬｐの当該偏光方向に対して垂直の１つの偏光方向を有する１つの別の成分を含む。第１成分ＲＬｐと別の成分ＲＬｓとが、偏光ビームスプリッタ１０によって反射光ビーム９から分岐される。この場合、第１成分ＲＬｐの強度Ｉ（図２参照）が、第１光センサ１１によって測定され、別の成分ＲＬｓの強度が、第２光センサ１２によって測定される。
【０１１８】
複数の反射角度ΦＲに対する複数の強度Ｉも測定され得る。このため、既定の数の異なる反射角度ΦＲが設定されるように、偏光ビームスプリッタ１０及び光センサ１１，１２の位置及び方向が変更され得る。このとき、第１成分ＲＬｐの強度Ｉと別の成分ＲＬｓの強度Ｉとが、これらのそれぞれの反射角度ΦＲに対して測定され得る。
【０１１９】
例えば、既定の数の反射角度ΦＲに対する複数の強度、例えば等間隔の複数の反射角度ΦＲに対する複数の強度が、０°〜９０°の角度間隔内で検出され得る。
【０１２０】
第１成分ＲＬｐの最大強度Ｉとこれに対応する反射角度ΦＲとを測定することも可能である。この対応する反射角度ΦＲは、物質に特有である特性散乱角度Φ２（図３参照）とも記され得る。さらに、当該特性散乱角度Φ２は、上記入射光の波長に依存し得る。また、当該特性散乱角度Φ２は、セキュリティ要素４の特性、特に表面の方向及び／又はセキュリティ要素４の粗面度に依存し得る。したがって、物質５又はセキュリティ要素４の存在及び種類を、特性散乱角度Φ２に応じて確認することが可能になり得る。
【０１２１】
例えば、上記反射光が、指向反射角度Φ１（図３参照）を成して反射され、当該反射光の強度Ｉが検出されるように、偏光ビームスプリッタ１０及び光センサ１１，１２の位置及び方向が設定されることによって、物質５の存在が確認され得る。この場合、指向反射角度Φ１は、絶対値に関して入射角度Φ０に一致するが、法線方向７に対して入射角度Φ０とは反対に指向されている。
【０１２２】
さらに、上記反射光が、指向反射角度Φ１とは異なる別の反射角度ΦＲを成して反射されるように、偏光ビームスプリッタ１０及び光センサ１１，１２の位置及び方向が設定され得る。この場合にも、当該反射光の異なる偏光成分ＲＬｐ，ＲＬｓの強度Ｉが検出され得る。この場合、指向反射角度Φ１を成して反射される反射光の第１成分ＲＬｐの強度Ｉが、別の反射角度ΦＲを成して反射される反射光の第１成分ＲＬｐの強度より小さいときに、物質５の存在が確認され得る。
【０１２３】
物質５の存在及び場合によっては種類を、１つ又は複数の反射角度ΦＲに対する第１成分ＲＬｐの強度Ｉと別の成分ＲＬｓの強度Ｉとの違いに応じて、例えば差又は比に応じて確認することも可能である。すなわち、例えば、既定の反射角度ΦＲ、特に上記の特性散乱角度Φ２のときの成分ＲＬｐの強度Ｉと成分ＲＬｓの強度Ｉとの違い、又は、異なる複数の反射角度ΦＲに対する違いの変化が、物質５の種類に対して固有であり得る、つまり物質に固有であり得る。すなわち、成分ＲＬｐの強度Ｉと成分ＲＬｓの強度Ｉとの違いが、例えば予備テストによって確認された違いに一致する場合に、又は、複数の反射角度ΦＲに対する違いの変化が、既定の変化に一致する若しくは既定の基準から少しだけ外れる場合に、例えば或る特定の種類の物質５が確認され得る。
【０１２４】
第１成分ＲＬｐの強度Ｉと別の成分ＲＬｓの強度Ｉとの違い、例えば差又は比が最大になるまで、当然に、偏光ビームスプリッタ１０及び光センサ１１，１２の位置及び方向が、特に何度も変更され得る。上記の偏光ビームスプリッタ１０の方向を変更することによって設定され得る、対応する反射角度ΦＲ及び／又は当該第１成分の対応する偏光角度は、物質に固有であり得る、つまり或る特定の種類の物質５に対して固有であり得る。すなわち、第１成分ＲＬｐの、対応する散乱角度ΦＲ及び／又は対応する偏光角度に応じて、或る特定の物質５の存在及び種類が確認され得る。
【０１２５】
各種の物質５に対して、及び異なる確認パラメータ、すなわち例えば照射パラメータに対して、反射角度ΦＲ及び／又は偏光角度並びに強度Ｉ及び／又は複数の強度Ｉ間の違いを、例えば予備テスト中に確認することが、上記の確認のための方法にとって必要になり得る。このとき、これらの関係は、例えばデータバンクとしての記憶装置内に記憶され得る。その結果、上記に提唱されている方法が、当該記憶された種類、確認パラメータ及び値に応じて可能になる。
【０１２６】
図２には、異なる３つの種類５ａ，５ｂ，５ｃの物質に対する第１成分ＲＬｐと別の成分ＲＬｓ（図１参照）との強度Ｉの強度変化が、異なる反射角度ΦＲに対して例示的に示されている。第１成分ＲＬｐの強度Ｉの複数の強度変化が、１０°〜９０°の角度範囲内にそれぞれ１つの最大値を有することが分かる。第１物質５ａに対しては、当該最大値は、６０°の反射角度ΦＲのときに発生する。第２物質５ｂに対しては、当該最大値は、５０°の反射角度ΦＲのときに発生する。第３物質５ｃでは、当該最大値は、６５°の反射角度ΦＲのときに発生する。最大強度Ｉの上記の複数の角度は、異なる物質５ａ，５ｂ，５ｃの特性散乱角度Φ２（図３参照）に対応し、したがって物質に固有である。
【０１２７】
異なる反射角度ΦＲに対する異なる物質５ａ，５ｂ，５ｃの別の成分ＲＬｓの強度Ｉ（図１参照）が、複数の破線によって示されている。これらの破線は、異なる反射角度ΦＲに対してほぼ一定であり、最大値を有しないか又は確認困難な最大値を有する。しかしながら、これにより、物質５ａ，５ｂ，５ｃの、第１成分ＲＬｐの強度Ｉと別の成分ＲＬｓの強度Ｉとの違いが、同様に対応する特性散乱角度Φ２に対して最大であることが確認可能である。
【０１２８】
図３には、提唱されている装置１の別の実施の形態が、概略的に示されている。この実施の形態は、他に説明しない限りは、図１で説明された装置１に一致する。
【０１２９】
図１に示された装置１に加えて、図３に示された装置１は、偏光フィルタ１３を有する。入射光ビーム３の希望の偏光状態が、偏光フィルタ１３によって設定される。さらに、当該装置は、例えばλ／４板として形成され得る波長板１４を有する。さらに、装置１は、入射光ビーム３の既定の成分１７を入射光ビーム３から分岐除去するビームスプリッタ１５を有する。既定の成分１７は、例えば５％であり得る。既定の成分１７は、例えばフォトダイオードとして形成され得る光センサ１６によって検出され、既定の成分１７の強度が確認される。当該ダイオードは、反射光ビーム９ａ，９ｂの異なる成分ＲＬｐ，ＲＬｓの強度Ｉ（図２参照）から入射光ビーム３の強度を規格化することを可能になる。したがって、確認が、異なる強度に関係なく、特に当該入射光ビームの強度の変動に関係なく実行され得る。
【０１３０】
この場合、入射光ビーム３は、既定の波長、既定の偏光状態及び既定の入射角度Φ０を有する。さらに、装置１は、偏光ビームスプリッタ１０ａ及び別の偏光ビームスプリッタ１０ｂを有する。同様に、当該装置は、第１光センサ１１ａ、第２光センサ１２ａ、第３光センサ１１ｂ及び第４光センサ１２ｂを有する。
【０１３１】
指向反射角度Φ１の角度を成してセキュリティ要素４によって反射された第１反射光ビーム９ａが分岐され、この第１反射光ビーム９ａの、第１成分ＲＬｐの強度と別の成分ＲＬｓの強度とが検出されるように、第１偏光ビームスプリッタ１０ａ並びに第１光センサ１１ａ及び第２光センサ１２ａが、装置１内に配置されていて且つ構成されている。この場合、第１偏光ビームスプリッタ１０ａは、図１に示された偏光ビームスプリッタ１０に合わせて形成されている。特に、第１光センサ１１ａは、第１反射光ビーム９ａの第１成分ＲＬｐの強度を検出し、第２光センサ１２ａは、第１反射光ビーム９ａの別の成分ＲＬｓの強度Ｉを検出する。
【０１３２】
この場合、確認すべき物質５（図１参照）の特性散乱角度Φ２を成して反射された別の反射光ビーム９ｂが分岐され、第１成分ＲＬｐの強度Ｉと別の成分ＲＬｓの強度Ｉとが検出されるように、別の偏光ビームスプリッタ１０ｂ、第３光センサ１１ｂ及び第４光センサ１２ｂが、装置１内に配置されていて且つ構成されている。この場合、別の反射光ビーム９ｂの第１成分ＲＬｐの強度が、第３光センサ１１ｂによって検出され、別の反射光ビーム９ｂの別の成分ＲＬｓの強度Ｉが、第４光センサ１２ｂによって検出される。
【０１３３】
図３に示された装置１は、特に或る特定の種類の物質５（図１参照）を確認するために使用される。すなわち、別の反射光ビーム９ｂの反射角度ΦＲが、確認すべき種類の物質５に対して固有である特性散乱角度Φ２に一致する。
【０１３４】
図４には、本発明の装置１の別の実施の形態が示されている。図３に示された装置１とは違って、図４に示された装置１は、第１セグメント光センサ１８及び別のセグメント光センサ１９を有する。この場合、第１セグメント光センサ１８は、第１検出セグメント１８ａ及び別の検出セグメント１８ｂを有する。これに応じて、別のセグメント光センサ１９は、第１検出セグメント１９ａ及び別の検出セグメント１９ｂを有する。この場合、第１セグメント光センサ１８の第１セグメント１８ａが、第１反射光ビーム９ａの第１成分ＲＬｐの強度Ｉを検出するように、異なる偏光フィルタ２０ａ，２０ｂ，２１ａ，２１ｂが、反射光ビーム９ａ，９ｂのビーム方向に検出セグメント１８ａ，．．．，１９ａの前方に配置されている。この場合、第１反射光ビーム９ａは、指向反射角度Φ１を成して反射される。したがって、この場合、第１偏光フィルタ２０ａが、第１成分ＲＬｐを第１反射光ビーム９ａから分岐除去する。これに応じて、別の偏光フィルタ２０ｂが、別の成分ＲＬｓを第１反射光ビーム９ａから分岐除去する。この場合、この第１反射光ビーム９ａの強度Ｉが、第１セグメント光センサ１８の別の検出セグメント１８ｂによって検出される。別の反射光ビーム９ｂの第１成分ＲＬｐが、別の偏光フィルタ２１ａによって分岐される。この場合、この第１成分ＲＬｐの強度Ｉが、別のセグメント光センサ１９の第１検出セグメント１９ａによって検出される。これに応じて、別の反射光ビーム９ｂの別の成分ＲＬｓの強度Ｉが、別のセグメント光センサ１９の別の検出セグメント１９ｂによって検出される。この場合、別の成分ＲＬｓが、別の偏光フィルタ２１ｂによって別の反射光ビーム９ｂから分岐除去される。この場合、別の反射光ビーム９ｂは、セキュリティ要素４の特定の種類の物質５（図１参照）に対する特性散乱角度Φ２を成して反射される。
【０１３５】
図５には、本発明の装置１の別の実施の形態が示されている。図３及び図４に示された実施の形態とは違って、装置１は、光センサ１１ａ，１１ｂ，１２ａ，１２ｂ，１８，１９の代わりに扁平に形成された光センサ装置２２を有する。この光センサ装置２２は、ＣＣＤセンサとして形成されていて、複数の光センサを有する。複数の偏光フィルタは図示されていない。光センサ装置２２の個々の光センサが、反射光ビーム９ａ，９ｂの異なる成分ＰＬｐ，ＲＬｓの強度Ｉを検出するように、これらの偏光フィルタは、反射光ビーム９ａ，９ｂのビーム方向に光センサ装置２２の前方に配置されている。この実施の形態では、反射光ビーム９ａ，９ｂのそれぞれの強度Ｉが確認される当該反射光ビーム９ａ，ｂの反射角度ΦＲが、光センサ装置２２内の対応する複数の光センサの位置に応じて確認され得る。
【０１３６】
図５には、光センサ装置２２の図示されなかった複数の光センサが、指向反射角度Φ１を成してセキュリティ要素４によって反射された第１反射光ビーム９ａの成分ＲＬｐ，ＰＬｓの強度Ｉを検出することが示されている。すなわち、別の複数の光センサが、特性散乱角度Φ２を成してセキュリティ要素４によって反射された別の反射光ビーム９ｂの成分ＲＬｐ，ＲＬｓの強度Ｉを検出する。この場合、特性散乱角度Φ２は、或る特定の種類の物質５（図１参照）に対して物質に固有である。
【０１３７】
図６には、本発明の装置１の別の実施の形態が示されている。図４に示された本発明の装置１の実施の形態とは違って、図６に示された装置１は、第３セグメント光センサ２３を有する。このセグメント光センサ２３は、第１検出セグメント２３ａ及び別の検出セグメント２３ｂを有する。第３反射ビーム９ｃの、第１成分ＲＬｐの強度Ｉが、第１検出セグメント２３ａによって検出可能であり、別の成分ＲＬｓの強度Ｉが、別の検出セグメント２３ｂによって検出可能であるように、偏光フィルタ２４ａ，２４ｂが、第３反射光ビーム９ｃのビーム方向に検出セグメント２３ａ，２３ｂの前方に配置されている。
【０１３８】
第３セグメント光センサ２３は、別の角度Φ３を成して反射された光ビーム９ｃの成分ＲＬｐ，ＲＬｓの強度Ｉを検出するために使用される。これにより、上記確認の信頼性が向上され得る。
【０１３９】
図６には、光源２が、第１波長を有する第１光ビーム３ａと、第１光ビームとは異なる波長を有する第２光ビーム３ｂとをセキュリティ要素４上に入射することも示されている。特性散乱角度Φ２は、波長によって決まり得るので、例えば図６に示された反射角度Φ２は、第１波長を有する光の入射時の、物質に固有の特性散乱角度である。この場合、別の反射角度Φ３は、別の波長を有する光の入射時の、物質に固有の特性散乱角度である。
【０１４０】
したがって、図６に示された装置１は、互いに異なる２つの波長によって上記セキュリティ要素を照射することを可能にする。この場合、反射光ビーム９ｂ，９ｃの成分ＲＬｐ，ＲＬｓの強度Ｉの検出が可能になる。これらの反射光ビーム９ｂ，９ｃはそれぞれ、対応する波長による照射の下で特性散乱角度を提供する。その結果、セキュリティ要素４の確認の信頼性が、有益にさらに向上可能になる。
【０１４１】
この代わりに、光源２が、第１偏光を有する第１光ビーム３ａと、この第１偏光とは異なる偏光を有する第２光センサ３ｂとをセキュリティ要素４上に入射させてもよい。その結果、セキュリティ要素４の確認の信頼性が、有益にさらに向上可能になる。この代わりに、入射光ビーム３の複数の偏光状態が、時間的にずらして変調又は変更されてもよい。この場合、当該測定データの評価、すなわち１つの反射光ビーム／複数の反射光ビーム９ａ，９ｂ，９ｃの成分の強度Ｉの評価が、入射光ビーム３の偏光状態の変化と同期され得る。
【０１４２】
図７には、本発明の装置１の投影図が示されている。装置１は、ハウジング２５を有する。貫通開口部２６ａ，２６ｂ，２６ｃが、ハウジング２５内に配置されている。ハウジング２５は、セキュリティ要素４の上に配置されていて、セキュリティ要素４に向かって開口されている内容積２７（図８参照）を有する。貫通開口部２６ａ，２６ｂ，２６ｃは、内容積２７を外容積２８につなげている。
【０１４３】
例えば図１に示された光ビーム３を放射する光源２が、第１貫通開口部２６ａ内に配置されている。
【０１４４】
例えば図４に示された偏光フィルタ１３と波長板１４とが、入射方向に光源２の前方に配置されている。
【０１４５】
第１セグメント光センサ１８が、第２貫通開口部２６ｂ内に配置されている。図４に対して既に説明されているように、この第１セグメント光センサ１８は、信号技術的に互いに独立して形成されている第１検出セグメント１８ａと別の検出セグメント１８ｂとを有する。図４に対して説明されている異なる成分ＲＬｐ，ＲＬｓの強度Ｉの検出を可能にする偏光フィルタ２０ａ，２０ｂが、第１反射光ビーム９ａ（図４参照）のビーム方向に検出セグメント１８ａ，１８ｂの前方に配置されている。
【０１４６】
図４に対して行われた説明に合わせて形成されている別のセグメント光センサ１９が、第３貫通開口部２６ｃ内に配置されている。
【０１４７】
この場合、指向反射角度Φ１を成してセキュリティ要素４によって反射された第１反射光ビーム９ａが、第１セグメント光センサ１８によって受光されるように、貫通開口部２６ａ，２６ｂ，２６ｃ、貫通開口部２６ａ，２６ｂ，１６ｃの特に中心の対象軸線が、ハウジング１内に配置されている。これに応じて、特性散乱角度Φ２を成してセキュリティ要素４によって反射された別の反射光ビーム９ｂが、第３貫通開口部２６ｃ内に配置された別のセグメント光センサ１９によって受光される。
【０１４８】
この場合、光が、或る既定の入射角度Φ０でセキュリティ要素４上に入射されるように、第１貫通開口部２６ａが配置されていて且つ指向されている。
【０１４９】
図８には、図７に示された装置１の長手断面が示されている。この場合、特に内容積２７が示されている。入射光３と反射光９ａ，９ｂの双方が、当該内容積２７を通過する。
【０１５０】
図９には、本発明の別の装置１の長手断面が示されている。この場合、特に内容積２７が示されている。入射光３と反射光９ａ，９ｂの双方が、当該内容積２７を通過する。図８に示された装置１とは違って、光源２が、偏光を維持する光ファイバ２９を介して第１貫通開口部２６ａに配置された光出射装置３０で接続されているか又は光出射装置３０に接続されている。この場合、光ビーム３を生成するための光が、光ファイバ２９を通じて光出射装置３０まで伝送され、光出射装置３０で光ファイバ２９から光ビーム３として出射される。
【０１５１】
貫通開口部２６ｂ，２６ｃを通過して反射された光ビーム９ａ，９ｂが、これらの貫通開口部２６ａ，２６ｃでそれぞれ配置されているか又はこれらの貫通開口部２６ａ，２６ｃにそれぞれ配置されている光入射装置３１，３２によって偏光を維持する別の光ファイバ３３，３４内に入射される。当該反射光は、別の光ファイバ３３，３４を通じて光センサ装置２２まで伝送され、別の光出射装置３５，３６を介して別の光ファイバ３３，３４から出射される。この場合、反射光ビーム９ａ，９ｂの異なる成分ＲＬｐ，ＲＬｓが、光出射装置３０５，３６によって出射され、光センサ装置２２の図示されなかった複数の光センサ上に放射されることが図示されている。このとき、これらの光センサは、反射光ビーム９ａ，９ｂの成分ＲＬｐ，ＰＬｓの強度Ｉを検出する。
【０１５２】
したがって、光の少なくとも一部が、セキュリティ要素４を照射するために光ファイバ２９を通じて光源２からセキュリティ要素４まで伝送されることが可能である。この代わりに又はこれに加えて、当該セキュリティ要素によって反射された光の少なくとも一部が、別の光ファイバ３３，３４を通じてセキュリティ要素４から１つの光センサまで伝送されてもよい。
【０１５３】
図示された装置１は、ハウジング２５又はセキュリティ要素４に対する光源２と上記複数の光センサとの自由な位置決めを有益に可能にする。これにより、装置１の適応性が改良される。
【０１５４】
偏光の分割及び／又は偏光の分岐が、光ファイバ２９，３３，３４及び／又は光入射装置３２，３３及び／又は光出射装置３０，３５，３６によって実行されることが可能である。
【０１５５】
光ファイバ２９，３３，３４は、例えば光繊維又はガラス繊維として形成され得る。
【符号の説明】
【０１５６】
１      装置
２      光源
３      入射光ビーム
４      セキュリティ要素
５      物質
５ａ    第１物質
５ｂ    第２物質
５ｃ    第３物質
６      蛍光色素
７      法線方向
８      表面
９      反射光ビーム
９ａ    第１反射光ビーム
９ｂ    第２反射光ビーム
９ｃ    第３反射光ビーム
１０    偏光ビームスプリッタ
１０ａ  第１偏光スプリッタ
１０ｂ  別の偏光スプリッタ
１１    第１光センサ
１２    第２光センサ
１１ａ  第１光センサ
１２ａ  第２光センサ
１１ｂ  第３光センサ
１２ｂ  第４光センサ
１３    偏光フィルタ
１４    波長板
１５    ビームスプリッタ
１６    光センサ
１７    入射光の成分
１８    第１セグメント光センサ
１８ａ  第１検出セグメント
１８ｂ  別の検出セグメント
１９    第２セグメント光センサ
１９ａ  第１検出セグメント
１９ｂ  別の検出セグメント
２０ａ  偏光フィルタ
２０ｂ  偏光フィルタ
２１ａ  偏光フィルタ
２１ｂ  偏光フィルタ
２２    光センサ装置
２３    第３セグメント光センサ
２３ａ  第１検出セグメント
２３ｂ  別の検出セグメント
２４ａ  偏光フィルタ
２４ｂ  偏光フィルタ
２５    ハウジング
２６ａ  第１貫通開口部
２６ｂ  第２貫通開口部
２６ｃ  第３貫通開口部
２７    内容積
２８    外容積
２９    光ファイバ
３０    光出射装置
３１    光入射装置
３２    光入射装置
３３    別の光ファイバ
３４    別の光ファイバ
３５    別の光出射装置
３６    別の光出射装置
Ｉ      強度
ΦＲ        反射角度
Φ０        入射角度
Φ１        指向反射角度
Φ２        特性散乱角度
Φ３        特性散乱角度
ＥＬｐ  入射光の第１成分
ＥＬｐ  入射光の別の成分
ＲＬｐ  反射光の第１成分
ＲＬｓ  反射光の別の成分
【図１】
0006482556.tif 000002
【図２】
0006482556.tif 000003
【図３】
0006482556.tif 000004
【図４】
0006482556.tif 000005
【図５】
0006482556.tif 000006
【図６】
0006482556.tif 000007
【図７】
0006482556.tif 000008
【図８】
0006482556.tif 000009
【図９】
0006482556.tif 000010